(57)【要約】【課題】タイヤ幅方向両側で溝面積率が異なる空気入りタイヤにおいて、接地圧分布をできるだけ均一にする。【解決手段】トレッド部における溝の入り方がタイヤ幅方向の一方側と他方側とで異なり、タイヤ幅方向一方側における溝面積率が、タイヤ幅方向他方側における溝面積率より高い空気入りタイヤにおいて、タイヤ幅方向断面におけるトレッド踏面の輪郭が複数の円弧からなり、隣接する円弧の連結点の少なくとも１つがトレッド踏面において凹部を形成する凹形連結点であり、前記のタイヤ幅方向一方側において、前記凹形連結点がトレッド部における陸部に配置されたことを特徴とする。【選択図】図２
2020090263.tif 000002
【特許請求の範囲】
【請求項１】
トレッド部における溝の入り方がタイヤ幅方向の一方側と他方側とで異なり、タイヤ幅方向一方側における溝面積率が、タイヤ幅方向他方側における溝面積率より高い空気入りタイヤにおいて、
タイヤ幅方向断面におけるトレッド踏面の輪郭が複数の円弧からなり、隣接する円弧の連結点の少なくとも１つがトレッド踏面において凹部を形成する凹形連結点であり、
前記のタイヤ幅方向一方側において、前記凹形連結点がトレッド部における陸部に配置された、空気入りタイヤ。
【請求項２】
前記のタイヤ幅方向他方側において、前記凹形連結点がトレッド部における主溝の位置に配置された、請求項１に記載の空気入りタイヤ。
【発明の詳細な説明】
【技術分野】
【０００１】
本発明は空気入りタイヤに関する。
【背景技術】
【０００２】
例えば特許文献１に記載されているように、空気入りタイヤのトレッド部を幅方向断面上で見ると、トレッド踏面は複数の円弧から形成されている。このような空気入りタイヤにおいて、隣接する２つの円弧の連結点が、トレッド踏面において凹部を形成する場合がある。
【先行技術文献】
【特許文献】
【０００３】
【特許文献１】特開平６−２９７９１３号公報
【発明の概要】
【発明が解決しようとする課題】
【０００４】
ところで、トレッド部における溝の入り方がタイヤ幅方向の一方側と他方側とで異なり、溝面積率（トレッド部における溝の部分の面積の割合）が、タイヤ幅方向一方側で高く、タイヤ幅方向他方側で低い空気入りタイヤが知られている。このような空気入りタイヤのトレッド部では、前記のタイヤ幅方向一方側の剛性が低く、前記のタイヤ幅方向他方側の剛性が高い。そのため、トレッド部が接地したときに、前記のタイヤ幅方向一方側で、前記のタイヤ幅方向他方側よりも、接地面積が広くなって接地圧が低くなる。このような接地圧分布の不均一さがあると、トレッド部に偏摩耗が生じたり、ハンドリング性能が悪化したりする。
【０００５】
そこで本発明は、タイヤ幅方向両側で溝面積率が異なる空気入りタイヤにおいて、接地圧分布をできるだけ均一にすることを課題とする。
【課題を解決するための手段】
【０００６】
実施形態の空気入りタイヤは、トレッド部における溝の入り方がタイヤ幅方向の一方側と他方側とで異なり、タイヤ幅方向一方側における溝面積率が、タイヤ幅方向他方側における溝面積率より高い空気入りタイヤにおいて、タイヤ幅方向断面におけるトレッド踏面の輪郭が複数の円弧からなり、隣接する円弧の連結点の少なくとも１つがトレッド踏面において凹部を形成する凹形連結点であり、前記のタイヤ幅方向一方側において、前記凹形連結点がトレッド部における陸部に配置されたことを特徴とする。
【発明の効果】
【０００７】
実施形態の空気入りタイヤでは、溝面積率が高いタイヤ幅方向一方側において凹形連結点が陸部に配置されているため、前記タイヤ幅方向一方側の接地圧がタイヤ幅方向他方側の接地圧に近くなり、全体として接地圧分布が均一になっている。
【図面の簡単な説明】
【０００８】
【図１】実施形態のトレッドパターン。この図において、上下方向がタイヤ周方向で、左右方向がタイヤ幅方向である。
【図２】図１のトレッドパターンを有するトレッド部のタイヤ幅方向断面図。この図では説明のために形状が誇張して描かれている。
【発明を実施するための形態】
【０００９】
実施形態の空気入りタイヤの構造について図面に基づき説明する。以下の説明における空気入りタイヤの形状に関する説明は、正規リムに装着され正規内圧が充填されたときの空気入りタイヤの形状について説明している。ここで、正規リムとは、JATMA規格における「標準リム」、TRA規格における「DesignRim」、又はETRTO規格における「MeasuringRim」のことである。また、正規内圧とは、JATMA規格における「最高空気圧」、TRA規格における「TIRELOAD LIMITS AT VARIOUS COLD INFLATION PRESSURES」の最大値、又はETRTO規格における「INFLATION PRESSURE」のことである。
【００１０】
また、以下の説明における接地とは、正規リムに装着され正規内圧が充填された空気入りタイヤが路面に接地し、そこへ正規荷重が負荷された状態での接地のことである。ここで正規荷重とは、JATMA規格における「最大負荷能力」、TRA規格における「TIRELOAD LIMITS AT VARIOUS COLD INFLATION PRESSURES」の最大値、又はETRTO規格における「LOAD CAPACITY」のことである。
【００１１】
本実施形態の空気入りタイヤの大まかな断面構造は次の通りである。まず、タイヤ幅方向両側にビード部が設けられ、カーカスプライが、タイヤ幅方向内側から外側に折り返されて前記ビード部を包むと共に、空気入りタイヤの骨格を形成している。前記カーカスプライのタイヤ径方向外側には複数枚のベルトが設けられ、前記ベルトのタイヤ径方向外側に接地領域を有するトレッド部が設けられている。また前記カーカスプライのタイヤ幅方向両側にはサイドウォールが設けられている。これらの部材の他にもタイヤの機能上の必要に応じた複数の部材が設けられている。
【００１２】
トレッド部には図１に示すようなトレッドパターンが形成されている。このトレッドパターンはタイヤ赤道Ｌに対して非対称である。
【００１３】
トレッド部には複数の主溝が形成されている。主溝とはタイヤ周方向に延びる太い溝のことであり、ストレート状のものだけでなくジグザグ状のものも主溝に含まれる。本実施形態においては、タイヤ赤道Ｌより左側には、タイヤ周方向に延びるジグザグ主溝１０が形成されている。また、タイヤ赤道Ｌより右側には、タイヤ周方向に延びる２本のストレート主溝１２、１３が形成されている。
【００１４】
左側の接地端Ｅ（トレッド部の接地領域のタイヤ幅方向端部）とジグザグ主溝１０との間には、第１ブロック２０及び第２ブロック２１がタイヤ周方向に交互に並んでいる。第１ブロック２０と第２ブロック２１とは第１横溝１６によって区切られている。第１ブロック２０と第２ブロック２１とは形状が異なる。第１ブロック２０には第１傾斜溝１４が形成されているのに対し、第２ブロック２１にはそのような傾斜溝が形成されていない。そのため第１ブロック２０は第２ブロック２１より剛性が低い。第１傾斜溝１４はタイヤ周方向に対して傾斜して延びている。第１傾斜溝１４の左側端部は第１ブロック２０内で閉塞し、第１傾斜溝１４の右側端部はジグザグ主溝１０に開口している。
【００１５】
ジグザグ主溝１０と左側のストレート主溝１２との間には陸部としての第１リブ２２が形成されている。第１リブ２２には複数の第２傾斜溝１５が形成されている。第２傾斜溝１５はタイヤ周方向に対して傾斜して延びている。第２傾斜溝１５の左側端部はジグザグ主溝１０に開口し、第２傾斜溝１５の右側端部は第１リブ２２内で閉塞している。第２傾斜溝１５はジグザグ主溝１０への開口端へ向かって徐々に太くなっている。
【００１６】
前記の第１傾斜溝１４は第２傾斜溝１５の延長線上にあり、第１傾斜溝１４と第２傾斜溝１５とで１本の傾斜溝を形成している。
【００１７】
左側のストレート主溝１２と右側のストレート主溝１３との間には陸部としての第２リブ２３が形成されている。第２リブ２３には、左側端部が第２リブ２３内で閉塞し右側端部が右側のストレート主溝１３に開口する第２横溝１７が形成されている。
【００１８】
右側のストレート主溝１３と接地端Ｅとの間には陸部としての第３リブ２４が形成されている。第３リブ２４には、左側端部が第３リブ２４内で閉塞し右側端部が接地端Ｅへ開口する第３横溝１８が形成されている。
【００１９】
このようなトレッドパターンにおいて、タイヤ幅方向左側（すなわちタイヤ赤道Ｌより左側）における溝面積率が、タイヤ幅方向右側（すなわちタイヤ赤道Ｌより右側）における溝面積率より高い。ここで、溝面積率とは、溝を含む接地領域の面積（換言すれば、陸部すなわちブロック等の接地する部分の面積と、溝の部分の面積との合計）に対する、その接地領域内における溝の部分の面積の割合のことである。
【００２０】
ただし、図１のトレッドパターンは例示に過ぎない。主溝の本数、横溝の有無、各溝のタイヤ周方向に対する傾斜角度等は、図１に示される形態に限定されない。いずれにしろ、トレッド部における溝の入り方がタイヤ幅方向の一方側と他方側とで異なり、タイヤ幅方向一方側における溝面積率が、タイヤ幅方向他方側における溝面積率より高い。
【００２１】
溝面積率が高い部分ほど剛性が低いので、図１のトレッドパターンにおいては、タイヤ幅方向左側で剛性が低く、それに対してタイヤ幅方向右側で剛性が高い。
【００２２】
図２に示すように、タイヤ幅方向断面におけるトレッド踏面の輪郭は、複数の円弧Ｃからなる。これらの複数の円弧Ｃの曲率半径はそれぞれ異なっていても良いし、少なくとも一部の円弧Ｃの曲率半径が同じでも良い。
【００２３】
隣接する円弧Ｃは連結点で連結されている。そのような連結点は複数存在する。隣接する円弧Ｃ同士は、直接連結されていても良いし、小さなアール部分を介して連結されていても良い。隣接する円弧Ｃ同士が小さなアール部分を介して連結されている場合、アールに沿った長さ方向の中央点を連結点とする。円弧Ｃの連結点の一部又は全部は、トレッド踏面において凹部を形成する凹形連結点Ｐである。
【００２４】
溝面積率が高く剛性が低いタイヤ幅方向左側においては、トレッド踏面において凹部を形成する凹形連結点Ｐがトレッド部における陸部に配置されている。つまり凹形連結点Ｐが第１ブロック２０及び第２ブロック２１に配置されているか、第１リブ２２に配置されている。
【００２５】
剛性が低いタイヤ幅方向左側の中で、他の陸部よりも剛性が低い陸部が存在する場合は、剛性が低い方の陸部に凹形連結点Ｐが配置されることが望ましい。図１のトレッドパターンの場合、第１リブ２２に比較的太い第２傾斜溝１５が形成されているため、第１リブ２２の剛性が第１ブロック２０及び第２ブロック２１の剛性より低い。そのため、図２に示すように凹形連結点Ｐが第１リブ２２に配置されている。
【００２６】
また、タイヤ幅方向左側における同じ陸部の中に、他の部分よりも剛性が低い部分が存在する場合は、剛性が低い方の部分に凹形連結点Ｐが配置されることが望ましい。
【００２７】
一方、溝面積率が低く剛性が高いタイヤ幅方向右側においては、トレッド踏面において凹部を形成する凹形連結点Ｐが主溝（すなわち左側のストレート主溝１２又は右側のストレート主溝１３）の位置に配置されている。つまり、隣り合う陸部に現れている円弧Ｃのそれぞれの延長線が、主溝内で交差している。図２では凹形連結点Ｐが右側のストレート主溝１３の位置に配置されている。
【００２８】
空気入りタイヤの車両への装着方向は、例えば、溝面積率が高い方（すなわちタイヤ幅方向左側）がＩＮ側（車両内側）、溝面積率が低い方（すなわちタイヤ幅方向右側）がＯＵＴ側（車両外側）である。
【００２９】
以上の構成は次のような作用効果を奏する。まず、トレッド踏面の輪郭に凹部を形成する凹形連結点Ｐが存在しない場合は、空気入りタイヤが接地したときに、溝面積率が高く剛性が低いタイヤ幅方向左側において接地面積が広くなり、溝面積率が低く剛性が高いタイヤ幅方向右側において接地面積が狭くなる。そして、タイヤ幅方向左側では接地面積が広いので接地圧が低くなり、タイヤ幅方向右側では接地面積が狭いので接地圧が高くなる。そのためタイヤ幅方向の左右で接地圧分布が不均一になる。
【００３０】
それに対し、本実施形態では、タイヤ幅方向左側において、トレッド踏面において凹部を形成する凹形連結点Ｐが陸部に配置されているため、そのぶん接地面積が狭くなっており接地圧が高くなっている。その結果、タイヤ幅方向の左右で接地圧分布が均一化されている。
【００３１】
一方、タイヤ幅方向右側にもトレッド踏面において凹部を形成する凹形連結点Ｐが存在するが、そのような凹形連結点Ｐが主溝の位置に配置されているため、接地面積が凹形連結点Ｐによって狭くならない。そのため、凹形連結点Ｐが存在するにもかかわらず、タイヤ幅方向右側では接地圧が高くならない。そのためタイヤ幅方向の左右で接地圧分布が不均一にならない。
【００３２】
以上の実施形態は例示であり、発明の範囲はこれに限定されない。以上の実施形態に対して、発明の要旨を逸脱しない範囲で、様々な変更、置換、省略等を行うことができる。
【００３３】
例えば、タイヤ幅方向左側の溝面積率が低く、タイヤ幅方向右側の溝面積率が高いトレッドパターンでも良い。その場合も、溝面積率が高い方において、凹形連結点がトレッド部における陸部に配置される。
【符号の説明】
【００３４】
Ｃ…円弧、Ｅ…接地端、Ｌ…タイヤ赤道、Ｐ…凹形連結点、１０…ジグザグ主溝、１２、１３…ストレート主溝、１４…第１傾斜溝、１５…第２傾斜溝、１６…第１横溝、１７…第２横溝、１８…第３横溝、２０…第１ブロック、２１…第２ブロック、２２…第１リブ、２３…第２リブ、２４…第３リブ
【図１】
2020090263.tif 000003
【図２】
2020090263.tif 000004